(57)【要約】【課題】製造工程を単純化することで製造コストを削減し、製造時間を短縮して生産効率を向上するとともに、流体音や破裂音の発生や噛み合い音を軽減し、噛み合い時の摩擦に起因する騒音を低減する歯付ベルト用プーリを提供すること。【解決手段】内周を回転軸１０４に嵌着されるとともに外周に歯付ベルト１１０に係合される歯１０１を有するディスク体１０５、１０６からなる歯付ベルト用プーリ１００において、ディスク体１０５、１０６が、それぞれ歯１０１の位相をずらして回転軸１０４に嵌着されていること。【選択図】図１
2010096257.tif 000002
【特許請求の範囲】
【請求項１】
内周を回転軸に嵌着されるとともに外周に歯付ベルトに係合される歯を有するディスク体からなる歯付ベルト用プーリにおいて、
前記ディスク体が、前記回転軸方向に複数に分割されて構成され、
該複数のディスク体が、それぞれ歯の位相をずらして前記回転軸に嵌着されていることを特徴とする歯付ベルト用プーリ。
【請求項２】
前記複数のディスク体が、３枚のディスク体からなるとともに、
両側のディスク体の歯の位相が同一で、中間のディスク体の歯の位相が前記両側のディスク体の歯の位相と異なるように前記回転軸に嵌着されていることを特徴とする請求項１に記載の歯付ベルト用プーリ。
【発明の詳細な説明】
【技術分野】
【０００１】
本発明は、歯付ベルトに係合して回転運動を伝達する歯付ベルト用プーリに関するものである。
【背景技術】
【０００２】
従来、歯付ベルト用プーリが歯付ベルトと噛み合う前に空気を逃がし、圧縮された空気が隙間から漏れる際の流体音や破裂音の発生を軽減し、騒音を低減する歯付ベルト用プーリが公知である。
【０００３】
この公知の歯付ベルト用プーリ５００は、図５乃至図７に示すように、歯付ベルト５１０と噛み合う歯５０１に円周方向の切込み部５０２を形成し、該歯付ベルト用プーリ５００が歯付ベルト５１０と噛み合う前に切込み部５０２から歯底部５０３方向に空気を逃がすことで、圧縮された空気が歯付ベルト５１０と噛み合う歯５０１の隙間から歯付ベルト用プーリ５００の左右に漏れることによる流体音や破裂音の発生を軽減し、騒音を低減している（特許文献１参照。）。
【特許文献１】実願昭６０−１７８３０３号（実開昭６２−８７２５１号公報）のマイクロフィルム（第３−５頁、図１乃至図３）
【発明の開示】
【発明が解決しようとする課題】
【０００４】
しかしながら、前記公知の歯付ベルト用プーリ５００は、歯５０１に円周方向の切込み部５０２を切削加工等により形成する必要があるため、製造工程が増加することで製造コストが高騰するとともに、製造時間が長くなり生産効率が低下するという問題があった。
【０００５】
また、切込み部５０２の深さは歯５０１の高さが限度となるため、逃せる空気の量には限界があるとともに、当該切込み部５０２を流れる流体音や破裂音も発生するため、騒音の低減効果は低いという問題があった。
さらに、歯付ベルト用プーリ５００と歯付ベルト５１０の噛み合い時の摩擦に起因する騒音については何ら低減効果がないという問題があった。
【０００６】
本発明は、前述したような従来技術の問題を解決するものであって、すなわち、本発明の目的は、製造工程を単純化することで製造コストを削減し、製造時間を短縮して生産効率を向上するとともに、流体音や破裂音の発生や噛み合い音を軽減し、噛み合い時の摩擦に起因する騒音を低減する歯付ベルト用プーリを提供することである。
【課題を解決するための手段】
【０００７】
本請求項１に係る発明は、内周を回転軸に嵌着されるとともに外周に歯付ベルトに係合される歯を有するディスク体からなる歯付ベルト用プーリにおいて、前記ディスク体が、前記回転軸方向に複数に分割されて構成され、該複数のディスク体が、それぞれ歯の位相をずらして前記回転軸に嵌着されていることにより、前記課題を解決するものである。
【０００８】
本請求項２に係る発明は、請求項１に記載された歯付ベルト用プーリの構成に加えて、前記複数のディスク体が、３枚のディスク体からなるとともに、両側のディスク体の歯の位相が同一で、中間のディスク体の歯の位相が前記両側のディスク体の歯の位相と異なるように前記回転軸に嵌着されていることにより、前記課題をさらに解決するものである。
【発明の効果】
【０００９】
本請求項１に係る発明の歯付ベルト用プーリは、内周を回転軸に嵌着されるとともに外周に歯付ベルトに係合される歯を有するディスク体からなる歯付ベルト用プーリにおいて、ディスク体が回転軸方向に複数に分割されて構成され、該複数のディスク体がそれぞれ歯の位相をずらして回転軸に嵌着されていることにより、歯付ベルト用プーリが歯付ベルトと噛み合うタイミングが複数のディスク体に分散されて１回に噛み合う面積が減少するため、圧縮される空気の量が減少し流体音や破裂音の発生が軽減され、また、歯付ベルト用プーリと歯付ベルトの噛み合い時の摩擦に起因する騒音も軽減されるとともに、複数のディスク体に何らの加工を施す必要もないため、製造工程が単純化されて製造コストが削減され、製造時間が短縮されて生産効率を向上することができる。
【００１０】
また、本請求項２に係る発明の歯付ベルト用プーリは、請求項１に係る歯付ベルト用プーリが奏する効果に加えて、複数のディスク体が３枚のディスク体からなるとともに、両側のディスク体の歯の位相が同一で、中間のディスク体の歯の位相が両側のディスク体の歯の位相と異なるように回転軸に嵌着されていることにより、歯付ベルト用プーリと歯付ベルトの噛み合いが幅方向の左右対称となるため、幅方向へのずれや捻じれが生じることなく安定して騒音が低減される。
【発明を実施するための最良の形態】
【００１１】
本発明は、内周を回転軸に嵌着されるとともに外周に歯付ベルトに係合される歯を有するディスク体からなる歯付ベルト用プーリにおいて、ディスク体が回転軸方向に複数に分割されて構成され、該複数のディスク体がそれぞれ歯の位相をずらして回転軸に嵌着されて、製造コストが削減され、製造時間が短縮されて生産効率を向上することができるとともに、流体音や破裂音の発生や噛み合い音が軽減され、噛み合い時の摩擦に起因する騒音が低減される歯付ベルト用プーリを提供することができるという効果を奏するものであれば、その具体的な実施態様は如何なるものであっても何ら構わない。
【００１２】
すなわち、本発明の歯付ベルト用プーリのディスク体の材質は、鉄等の金属であっても良く、樹脂、セラミック等いかなる材質であっても良い。
また、該ディスク体は、２枚であっても良く、３枚以上であっても良い。
【００１３】
また、本発明の歯付ベルト用プーリのディスク体は、回転軸に対して、圧入や焼き嵌め等の締まり嵌めにより嵌着されても良く、ボルトやナット等で固定されても良く、いかなる方法で嵌着されても良い。また、キー溝やスプラインを用いても良い。
さらに、本発明の歯付ベルト用プーリの複数のディスク体は、隣接するディスク体とピンや凹凸等で回転係合されても良い。
【実施例】
【００１４】
以下に、本発明の実施例である歯付ベルト用プーリについて、図面に基づいて説明する。
図１は、本発明の歯付ベルト用プーリの第１実施例の使用形態の斜視図であり、図２は、本発明の歯付ベルト用プーリの第１実施例の正面図および側面図であり、図３は、本発明の歯付ベルト用プーリの第２実施例の使用形態の斜視図であり、図４は、本発明の歯付ベルト用プーリの第２実施例の正面図および側面図である。
【００１５】
本発明の第１実施例である歯付ベルト用プーリ１００は、図１に示すように、回転軸１０４に２枚のディスク体１０５、１０６が嵌着されており、歯付ベルト１１０がディスク体１０５、１０６の外周に設けられた歯１０１と係合することで回転運動が伝達される。
【００１６】
歯付ベルト用プーリ１００は、図１、図２に示すように、回転軸１０４に２枚のディスク体１０５、１０６がそれぞれ歯１０１の位相をわずかにずらして嵌着されており、歯付ベルト用プーリ１００の２枚のディスク体１０５、１０６のそれぞれの歯１０１が歯付ベルト１１０と噛み合うタイミングがずれることとなる。
【００１７】
それぞれのタイミングで圧縮される空気の量が半分となるため、流体音や破裂音の発生が軽減されるとともに、それぞれのタイミングで噛み合う歯１０１の面積も半分となり、噛み合い時の摩擦に起因する騒音も低減される。
【００１８】
また、本発明の第２実施例である歯付ベルト用プーリ２００は、図３に示すように、回転軸２０４に３枚のディスク体２０５、２０６、２０７が嵌着されており、歯付ベルト２１０がディスク体２０５、２０６、２０７の外周に設けられた歯２０１と係合することで回転運動が伝達される。
【００１９】
歯付ベルト用プーリ２００は、図３、図４に示すように、回転軸２０４に両側の２枚のディスク体２０５、２０７の歯２０１の位相を同一とし、中間のディスク体２０６の歯２０１の位相を両側のディスク体２０５、２０７の歯２０１の位相とわずかにずらして嵌着されており、歯付ベルト用プーリ２００の３枚のディスク体２０５、２０６、２０７の両側の２枚のディスク体２０５、２０７の歯２０１と中間のディスク体２０６の歯２０１が歯付ベルト２１０と噛み合うタイミングがずれることとなる。
【００２０】
それぞれのタイミングで圧縮される空気の量が２／３および１／３となるため、流体音や破裂音の発生が軽減されるとともに、それぞれのタイミングで噛み合う歯２０１の面積も２／３および１／３となり、噛み合い時の摩擦に起因する騒音も低減される。
【００２１】
さらに、本第２実施例の歯付ベルト用プーリ２００は、歯付ベルト２１０の噛み合いが幅方向の左右対称となるため、幅方向へのずれや捻じれが生じることなく安定して回転駆動が可能となり、幅方向へのずれや捻じれに伴う騒音が発生しない。
【００２２】
なお、本第２実施例の歯付ベルト用プーリ２００は、３枚のディスク体２０５、２０６、２０７の回転軸方向の幅を同一としているが、両側のディスク体２０５、２０７の回転軸方向の幅を中間のディスク体２０６の半分として、上記それぞれのタイミングで圧縮される空気の量および歯２０１の面積を半分ずつとしても良い。
【００２３】
以上説明したように、本発明によれば、製造コストが削減され、製造時間が短縮されて生産効率を向上することができるとともに、流体音や破裂音の発生や噛み合い音が軽減され、騒音が低減される歯付ベルト用プーリを提供することができるなど、その効果は甚大である。
【００２４】
なお、本発明の第１実施例および第２実施例の歯付ベルト用プーリ１００、２００は、２枚および３枚のディスク体１０５、１０６、２０５、２０６、２０７を有しているが、４枚以上のディスク体を有するものでも良い。
そして、本発明の歯付ベルト用プーリが４枚以上のディスク体で構成される場合、少なくとも１枚のディスク体の歯の位相がずれていれば良く、隣り合うディスク体の歯の位相をそれぞれ交互にずらしても、ランダムにずらしても良い。
【００２５】
また、本発明の第１実施例および第２実施例の歯付ベルト用プーリ１００、２００のディスク体１０５、１０６、２０５、２０６、２０７は単純な円盤状であるが、歯１０１、２０１を有する外周付近および回転軸１０４、２０４に嵌着される内周付近のみを広幅として径方向中間部分を薄くしたものでも良く、径方向中間部分に軸方向の肉抜き部分を設けたものであっても良い。
【図面の簡単な説明】
【００２６】
【図１】本発明の歯付ベルト用プーリの第１実施例の使用形態の斜視図。
【図２】本発明の歯付ベルト用プーリの第１実施例の正面図および側面図。
【図３】本発明の歯付ベルト用プーリの第２実施例の使用形態の斜視図。
【図４】本発明の歯付ベルト用プーリの第２実施例の正面図および側面図。
【図５】従来の歯付ベルト用プーリの使用形態の側面図。
【図６】従来の歯付ベルト用プーリの正面図。
【図７】従来の歯付ベルト用プーリの断面図。
【符号の説明】
【００２７】
１００、２００、５００  ・・・歯付ベルト用プーリ
１０１、２０１、５０１  ・・・歯
５０２  ・・・切込み部
１０３、２０３、５０３  ・・・歯底部
１０４、２０４          ・・・回転軸
１０５、２０５          ・・・ディスク体
１０６、２０６          ・・・ディスク体
２０７          ・・・ディスク体
１１０、２１０、５１０  ・・・歯付ベルト
【図１】
2010096257.tif 000003
【図２】
2010096257.tif 000004
【図３】
2010096257.tif 000005
【図４】
2010096257.tif 000006
【図５】
2010096257.tif 000007
【図６】
2010096257.tif 000008
【図７】
2010096257.tif 000009